(57)【特許請求の範囲】
【請求項１】
撮像された画像信号を画像処理した後の画像データを記録媒体に記録する記録手段と、
カメラ各部を制御すると共に電源スイッチの操作に応じてレンズの繰り出し及び沈胴を行う制御手段と、
前記記録媒体への記録前の画像データのデータ容量が所定容量以上であるかどうかを判定する判定手段と、
を備え、
前記制御手段は、前記画像データの記録完了前において前記電源スイッチがオフ操作された時に、前記判定手段により前記データ容量が所定容量以上であると判定された場合には直ちに前記レンズの沈胴を開始し、前記データ容量が所定容量より小さいと判定された場合には前記画像データの記録完了後に前記レンズの沈胴を開始する、
ことを特徴とする電子カメラ。
【請求項２】
前記画像データの記録中に警告を行う警告手段、
を更に備えたことを特徴とする請求項１記載の電子カメラ。
【発明の詳細な説明】
【０００１】
【発明の属する技術分野】
本発明は、電源スイッチのＯＦＦ操作に応じてレンズの沈胴を行う電子カメラに関する。
【０００２】
【従来の技術】
電源スイッチのＯＮ／ＯＦＦ操作に応じて所定の処理を行う電子カメラがある。
例えば、特開平１１−２５２４２２号公報には、撮影後であって画像データ記録前に電源スイッチが押されてオフ操作されたときにはバックライトを消灯させると共に画像データ記録後に電源遮断を行い、撮影後の画像データ記録前に電源スイッチのオフ操作を受け付け可能にすると共に不要な電池消耗を抑制するデジタルカメラが提案されている。
【０００３】
また、電源スイッチのＯＮ／ＯＦＦ操作に応じてレンズの繰り出し及び沈胴を行う電子カメラもある。これは、電源スイッチがＯＮ操作されるとレンズを撮影可能位置へ繰り出し、電源スイッチがＯＦＦ操作されるとレンズの沈胴を行うものである。
【０００４】
【発明が解決しようとする課題】
しかしながら、こられのデジタルカメラまたは電子カメラでは、レリーズスイッチ等を介して撮影指示が行われてからその撮影により得られた画像データの記録が終了するまでの間は、電源スイッチのＯＦＦ操作の検出が行われていなかったため、その画像データの記録が終了するまではレンズの沈胴を開始させることが出来なかった。そのため、撮影指示により撮影を行った直後にカメラケースやカバン等に直ちに収納して他の場所へ速やかに移動する等といったことができず、ユーザの使い勝手が悪いという問題があった。また、記録される画像データのデータ容量によっては記録時間が長くなることも考えられ、この場合には、その問題が特に顕著になった。
【０００５】
本発明の課題は、上記実情に鑑み、画像データの記録終了前にレンズの沈胴開始を可能にさせてユーザの使い勝手を向上させる電子カメラを提供することである。
【０００６】
【課題を解決するための手段】
請求項１記載の発明は、撮像された画像信号を画像処理した後の画像データを記録媒体に記録する記録手段と、カメラ各部を制御すると共に電源スイッチの操作に応じてレンズの繰り出し及び沈胴を行う制御手段と、前記記録媒体への記録前の画像データのデータ容量が所定容量以上であるかどうかを判定する判定手段と、を備え、前記制御手段は、前記画像データの記録完了前において前記電源スイッチがオフ操作された時に、前記判定手段により前記データ容量が所定容量以上であると判定された場合には直ちに前記レンズの沈胴を開始し、前記データ容量が所定容量より小さいと判定された場合には前記画像データの記録完了後に前記レンズの沈胴を開始する、電子カメラである。
【０００７】
上記の構成によれば、例えば撮影指示が行われてからその撮影により得られた画像データの記録が終了する前までの間に電源スイッチがオフ操作された時は、記録前の画像データのデータ容量が所定容量以上の場合に限りレンズの沈胴を開始させることができる。これにより、記録する画像データ数が多くなるような撮影を行った場合でも、例えばレンズの沈胴と記録を略同時に開始させるようにすれば、レンズの沈胴及び記録を終わらせるのに必要な時間を、従来に比べて一段と短縮させることができる。
【００１１】
請求項２記載の発明は、請求項１記載の発明において、前記画像データの記録中に警告を行う警告手段、を更に備えた構成である。
この構成によれば、画像データの記録中に警告が行われるようになる。これにより、例えば、レンズが沈胴を開始したので記録が終了したものだと誤認してユーザがメモリカード等を着脱する等といったことを防止することができる。
【００１２】
【発明の実施の形態】
以下、本発明の実施の形態を図面を参照しながら説明する。
図１は、本発明の一実施の形態に係る電子カメラの構成例を示すブロック図である。
【００１３】
同図に示すように、この電子カメラは、ズームレンズ２及びフォーカスレンズ３を有してなる撮影光学系としての撮影レンズ系１と、この撮影レンズ系１により結像された被写体像を光電変換して電気信号として出力する撮像素子たるイメージャ９と、このイメージャ９の出力に所定の画像処理等を施す撮像回路１０と、この撮像回路１０の出力をデジタル信号に変換するＡ／Ｄ変換回路１１と、このＡ／Ｄ変換回路１１の出力を記憶するメモリ１２と、このメモリ１２に記憶されたデジタル画像データを読み出してアナログ信号に変換するＤ／Ａ変換回路１３と、このＤ／Ａ変換回路１３の出力を受けて後述するＬＣＤモニタ１５を駆動するＬＣＤ駆動回路１４と、このＬＣＤ駆動回路１４の駆動信号により撮影レンズ系１を介して撮像される被写体像を表示する画像表示装置たるＬＣＤモニタ１５と、後述するレリーズスイッチ２１Ａの操作に応じてメモリ１２に記憶されるデジタル画像データの圧縮を行う一方で、後述するメモリカード１７から圧縮された画像データを読み出した際には、その画像データの伸長を行う圧縮伸長回路１６と、この圧縮伸長回路１６により圧縮された画像データを記憶するたとえば着脱自在に構成されたメモリカード１７とを有している。尚、本形態では、メモリ１２の一例としてＤＲＡＭを適用する。
【００１４】
さらに、この電子カメラは、撮像回路１０の出力が、自動露出用の演算等を行う測光手段であって露出制御手段を兼ねたＡＥ回路１８に入力され、その結果がシステムコントローラ１００に入力されるとともに、Ａ／Ｄ変換回路１１の出力が、焦点調節に関する演算等を行う合焦回路１９に入力され、その結果もシステムコントローラ１００に入力されるようになっている。
【００１５】
このシステムコントローラ１００は、この電子カメラに関する統括的な制御を行う制御手段であり、ズームモータ制御回路６を駆動してズームモータ５の制御を行う。ズームモータ５は、ズームカム４を駆動することにより、ズームレンズ２を光軸方向に移動させて焦点距離を変更させる。また、システムコントローラ１００は、合焦回路１９の出力に基づき、フォーカスモータ制御回路８を駆動してフォーカスモータ７の制御を行い、フォーカスレンズ３による合焦位置の調整を行う。
【００１６】
また、このシステムコントローラ１００には、被写体を照明するための光源であるストロボ発光部２０が接続される。このストロボ発光部２０は、所定量の電荷を蓄積可能なコンデンサを備えており、システムコントローラ１００が、このコンデンサを充放電させることにより、その発光量を含むストロボ発光部２０の駆動を制御する。
【００１７】
また、このシステムコントローラ１００には、点滅発光によりメモリカード１７へのアクセス中である旨を通知（警告）する警告用ＬＥＤ２５が接続される。この警告用ＬＥＤ２５は、メモリカード１７へのアクセス中に誤ってメモリカードが着脱される等といったことを防止するためのものである。
【００１８】
さらに、システムコントローテ１００には、複数の操作スイッチでなる操作スイッチ群２１が接続される。この操作スイッチ群２１は、撮影のためのＡＥやＡＦを行わせる指示をするための１ｓｔレリーズスイッチ２１Ａと、撮影を行ってメモリカード１７へ記録させる指示（撮影指示）をするための２ｎｄレリーズスイッチ２１Ｂと、この電子カメラの電源のＯＮ／ＯＦＦを指示するための電源スイッチ２１Ｃと、撮影モードとして連写モードを設定させる指示をするための連写スイッチ２１Ｄ等を有して構成される。尚、連写スイッチ２１ＤがＯＮされていないときには、撮影モードとして単写モードが設定される。
【００１９】
この電子カメラは、さらに、電源２２、ＤＣ／ＤＣコンバータ２３および電源電圧検出回路を有しており、電源２２の電力が、ＤＣ／ＤＣコンバータ２３により適切な駆動電圧に変換されて、この電子カメラの内部の各回路に供給されるようになっている。また、電源電圧検出回路２４は、この電源２２の出力電圧（電源電圧）を検出し、その結果をシステムコントローラ１００に入力する。
【００２０】
以上が、この電子カメラの構成例を示すブロック図である。
次に、上述した構成を有する電子カメラにおけるシステムコントローラ１００によって行われる制御処理について説明する。
図２は、第一の実施の形態に係る撮影処理の処理内容の一例を示すフローチャートである。本形態に係る撮影処理では、撮影指示が行われた後であってメモリカード１７への画像データの書き込み終了前に電源スイッチ２１ＣがＯＦＦ操作された場合に、直ちにズームレンズ２の沈胴を開始するように処理される。
【００２１】
同図において、まず、Ｓ２０１では、電源スイッチ（パワースイッチ）２１ＣがＯＮ操作されて、この電子カメラの内部の各回路へ電力が供給される。
Ｓ２０２では電子カメラを構成する各部の初期化処理が行われる。
Ｓ２０３では、ズームモータ制御回路６によりズームモータ５が駆動され、ズームレンズ２が撮影可能位置へ繰り出される。これにより、この電子カメラは撮影可能状態となる。
【００２２】
Ｓ２０４では、電源スイッチ２１ＣがＯＦＦ操作されたか否かが判定され、この判定結果がＹｅｓの場合にはＳ２２５へ処理が進み、Ｎｏの場合にはＳ２０５へ処理が進む。
Ｓ２０５では、１ｓｔレリーズスイッチ２１ＡがＯＮ操作されたか否かが判定され、この判定結果がＹｅｓの場合にはＳ２０６へ処理が進み、Ｎｏの場合にはＳ２０４へ処理が戻る。
【００２３】
Ｓ２０６では、被写体像の撮影のために、撮像回路１０の出力に基づくＡＥ（Auto Exposure ：自動露出調整）、及びＡ／Ｄ変換回路１１の出力に基づくＡＦ（Auto Focus：自動焦点調整）の制御処理が行われると共に、その処理により設定された絞り値やシャッタースピード等のデータが表示される。
【００２４】
Ｓ２０７では、１ｓｔレリーズスイッチ２１ＡがＯＮ操作されているか否かが再び判定され、この判定結果がＹｅｓの場合にはＳ２０８へ処理が進み、Ｎｏの場合にはＳ２０５へ処理が戻る。
Ｓ２０８では、２ｎｄレリーズスイッチ２１ＢがＯＮ操作されたか否かが判定され、この判定結果がＹｅｓの場合にはＳ２０９へ処理が進み、Ｎｏの場合にはＳ２０７へ処理が戻る。
【００２５】
Ｓ２０９では、イメージャ９に結像されている被写体像がその被写体像に対応する電気信号に変換され、その電気信号が撮像回路１０及びＡ／Ｄ変換回路１１を介して所定の画像データに変換され、その画像データがＤＲＡＭ１２に書き込まれる（ライトされる）。尚、このときに、連写スイッチ２１ＤがＯＮされていて撮影モードとして連写モードが設定されていたときには、不図示ではあるが２ｎｄレリーズスイッチ２１ＢがＯＦＦ操作されるまで、或いはＤＲＡＭ１２の記録容量に応じて、本ステップの処理が所定回繰り返され、ＤＲＡＭ１２には、その所定回に対応する所定数の画像データが書き込まれるようになる。
【００２６】
Ｓ２１０では、前ステップでＤＲＡＭ１２に書き込まれた画像データが読み出される（リードされる）。尚、前ステップでＤＲＡＭ１２に複数の画像データが書き込まれた場合には、その書き込み順に従って１つの画像データが読み出される。
【００２７】
Ｓ２１１では、前ステップで読み出した画像データに対し、ガンマ補正やホワイトバランス補正等の補正処理や、画像サイズを変更するリサイズ処理や、圧縮伸長回路１６による画像データの圧縮処理等といった画像処理が行われる。
Ｓ２１２では、電源スイッチ２１ＣがＯＦＦ操作されたか否かが判定され、この判定結果がＹｅｓの場合にはＳ２１３へ処理が進み、Ｎｏの場合にはＳ２２０へ処理が進む。
【００２８】
尚、２ｎｄレリーズスイッチがＯＮ操作された後であってＳ２１２の処理以前に電源スイッチ２１ＣがＯＦＦ操作された場合には、そのＯＦＦ操作された旨の情報をシステムコントローラのレジスター等に格納するように構成しておき、Ｓ２１２の処理では、そのレジスターの内容を参照して電源スイッチ２１ＣがＯＦＦ操作されたか否かを判定するようにしても良い。
【００２９】
Ｓ２１３では、メモリカード１７へのアクセス中であることを示す警告用ＬＥＤ２５の点滅発光が開始される。
Ｓ２１４では、ズームモータ制御回路６によりズームモータ５が駆動されてズームレンズ２をカメラ本体へ収納するためのズームレンズ２の沈胴が開始され、その沈胴開始の後に前述のＳ２１１の処理により画像処理が施された画像データのメモリカード１７への書き込みが開始されてその画像データがメモリカード１７へ書き込まれる。これにより、ズームレンズの沈胴中に画像データの書き込みも行われるようになり、ズームレンズ２の沈胴と画像データの記録を終えるまでに要する時間を短縮させることができる。尚、本ステップでは、沈胴開始後に書き込みを開始しているが、先に書き込みを開始した後に沈胴を開始させるようにしても良く、或いは書き込みが終了する前に沈胴を開始するようにしても良い。又は沈胴と書き込みを略同時に開始させるようにしても良い。
【００３０】
尚、本例では、電源スイッチ２１ＣがＯＦＦ操作されたと判定されてからズームレンズ２が沈胴を開始するまでの間に、Ｓ２１３の処理である警告用ＬＥＤ２５の点滅点灯開始処理が行われているが、この処理に係る処理時間は非常に微小時間であるので、電源スイッチ２１ＣがＯＦＦ操作されたと判定されてから直ちにズームレンズ２の沈胴が開始されると言えるものである。
【００３１】
Ｓ２１５では、前述のＳ２１１の処理で行われる画像処理と同様の画像処理を施していない画像データがＤＲＡＭ１２に残っているか否かが判定され、この判定結果がＹｅｓの場合にはＳ２１６へ処理が進み、Ｎｏの場合にはＳ２１９へ処理が進む。尚、このときに、その画像処理を施していない画像データが残っている状態は、前述のＳ２０９の処理において、連写モードが設定されていたことにより複数の画像データがＤＲＡＭ１２に書き込まれた場合に発生する。
【００３２】
Ｓ２１６では、ＤＲＡＭ１２に書き込まれている、その画像処理が施されていない画像データの中から、その書き込み順に従って、１つの画像データが読み出される。
Ｓ２１７では、前ステップで読み出された画像データに対し、前述のＳ２１１と同様の画像処理が施される。
【００３３】
Ｓ２１８では、前ステップの処理により画像処理が施された画像データがメモリカード１７へ書き込まれる。そして処理がＳ２１５へ戻り、上述した処理が繰り返される。
Ｓ２１９では、警告用ＬＥＤ２５の点滅点灯が停止される。これにより、メモリカード１７へのアクセス中でない旨、すなわちメモリカード１７への書き込みが終了した旨をユーザに通知させることができる。そして処理がＳ２２６へ進む。
【００３４】
Ｓ２２０では、メモリカード１７へのアクセス中であることを示す警告用ＬＥＤ２５の点滅点灯が開始される。
Ｓ２２１では、前述のＳ２１１の処理により画像処理が施された画像データがメモリカード１７へ書き込まれる。
【００３５】
Ｓ２２２では、前述のＳ２１１の処理で行われる画像処理を施していない画像データがＤＲＡＭ１２にまだ残っているか否かが判定され、この判定結果がＹｅｓの場合にはＳ２１０へ処理が戻り上述した処理が繰り返され、Ｎｏの場合にはＳ２２３へ処理が進む。尚、前述したように、このときに、その画像処理を施していない画像データがまだ残っている状態は、前述のＳ２０９の処理において、連写モードが設定されていたことにより複数の画像データがＤＲＡＭ１２に書き込まれた場合に発生する。
【００３６】
Ｓ２２３では、警告用ＬＥＤ２５の点滅点灯が停止される。これにより、メモリカード１７へのアクセス中でない旨、すなわちメモリカード１７への書き込みが終了した旨をユーザに通知させることができる。
Ｓ２２４では、電源スイッチ２１ＣがＯＦＦ操作されたか否かが判定され、この判定結果がＹｅｓの場合にはＳ２２５へ処理が進み、Ｎｏの場合にはＳ２０５へ処理が戻り、上述した処理が繰り返される。
【００３７】
Ｓ２２５では、ズームモータ制御回路６によりズームモータ５が駆動されてズームレンズ２をカメラ本体へ収納するためのズームレンズ２の沈胴が行われる。
Ｓ２２６では、この電子カメラへの設定条件を保存する等といった終了処理が行われ、本フローが終了する。
【００３８】
以上までの処理が、第一の実施の形態に係る撮影処理であり、この処理をシステムコントローラ１００が行うことにより、２ｎｄレリーズスイッチ２１ＢがＯＮ操作された後であってメモリカード１７への画像データの書き込み終了前に、電源スイッチ２１ＣがＯＦＦ操作された場合には、直ちにズームレンズ２の沈胴が開始されるようになる。従って、撮影指示（２ｎｄレリーズスイッチ２１ＢのＯＮ操作）により撮影を行った直後にカメラケースやカバン等に直ちに収納して他の場所へ速やかに移動する等といったことが可能になり、ユーザの使い勝手を向上させることができる。
【００３９】
尚、この撮影処理のフローでは、Ｓ２１１の処理が終了した後に電源スイッチ２１ＣがＯＦＦ操作されたか否かが判定されるものであったが、この判定は、メモリカード１７への画像データの書き込み終了前までの間であるならば、いつ行われるようにしても良い。
【００４０】
次に、第二の実施の形態に係る撮影処理について説明する。
図３は、第二の実施の形態に係る撮影処理の処理内容の一例を示すフローチャートである。本形態に係る撮影処理では、撮影指示が行われた後であってメモリカード１７への画像データの書き込み終了前において電源スイッチ２１ＣがＯＦＦ操作された時に、電源２２の電源電圧が所定電圧より低い場合には画像データの書き込みを行った後にズームレンズ２の沈胴を行い、その電源電圧が所定電圧以上の場合には直ちにズームレンズ２の沈胴を開始するように制御される。
【００４１】
同図において、まず、Ｓ３０１乃至Ｓ３１２の処理では、図２を用いて説明したＳ２０１乃至Ｓ２１２の処理と同様の処理が行われる。
Ｓ３１３では、電源電圧検出回路２４を介して電源２２の電源電圧が検出され、その検出された電源電圧が所定電圧以上であるか否かが判定され、この判定結果がＹｅｓの場合にはＳ３２１へ処理が進み、Ｎｏの場合にはＳ３１４へ処理が進む。尚、前述の所定電圧は、例えば、後述するＳ３２１乃至Ｓ３２６の処理を行うのに必要な最低限の電圧である。
【００４２】
Ｓ３１４では、メモリカード１７へのアクセス中であることを示す警告用ＬＥＤ２５の点滅点灯が開始される。
Ｓ３１５では、前述のＳ３１１の処理により画像処理が施された画像データがメモリカード１７へ書き込まれる。
【００４３】
Ｓ３１６では、前述のＳ３１１の処理で行われる画像処理と同様の画像処理を施していない画像データがＤＲＡＭ１２に残っているか否かが判定され、この判定結果がＹｅｓの場合にはＳ３１７へ処理が進み、Ｎｏの場合にはＳ３２０へ処理が進む。尚、このときに、その画像処理を施していない画像データが残っている状態は、前述のＳ３０９の処理において、連写モードが設定されていたことにより複数の画像データがＤＲＡＭ１２に書き込まれた場合に発生する。
【００４４】
Ｓ３１７では、ＤＲＡＭ１２に書き込まれている、その画像処理が施されていない画像データの中から、その書き込み順に従って、１つの画像データが読み出される。
Ｓ３１８では、前ステップで読み出された画像データに対し、前述のＳ３１１と同様の画像処理が施される。
【００４５】
Ｓ３１９では、前ステップの処理により画像処理が施された画像データがメモリカード１７へ書き込まれる。そして処理がＳ３１６へ戻り、上述した処理が繰り返される。
Ｓ３２０では、警告用ＬＥＤ２５の点滅点灯が停止される。これにより、メモリカード１７へのアクセス中でない旨、すなわちメモリカード１７への書き込みが終了した旨をユーザに通知させることができる。そして処理がＳ３３４へ進む。
【００４６】
Ｓ３２１乃至Ｓ３３４の処理では、図２を用いて説明したＳ２１３乃至Ｓ２２６の処理と同様の処理が行われる。
以上までの処理が、第二の実施の形態に係る撮影処理であり、この処理をシステムコントローラ１００が行うことにより、２ｎｄレリーズスイッチ２１ＢがＯＮ操作された後であってメモリカード１７への画像データの書き込み終了前において電源スイッチ２１ＣがＯＦＦ操作された時に、電源２２の電源電圧が所定電圧より低い場合には画像データの書き込みを行った後にズームレンズ２の沈胴が行われ、その電源電圧が所定電圧以上の場合には直ちにズームレンズ２の沈胴が開始される。これにより、例えば電池等で構成される電源２２の電源電圧が低い状態の場合に前述のように電源スイッチ２１ＣがＯＦＦ操作されたときに、ズームレンズ２の沈胴により電力が消費されて、電力不足によりメモリカード１７への書き込みが途中で終了されてしまうのを防止することができる。
【００４７】
次に、第三の実施の形態に係る撮影処理について説明する。
図４は、第三の実施の形態に係る撮影処理の処理内容の一例を示すフローチャートである。本形態に係る撮影処理では、撮影指示が行われた後であってメモリカード１７への画像データの書き込み終了前において電源スイッチ２１ＣがＯＦＦ操作された時に、撮影モードとして連写モードが設定されていた場合には、直ちにズームレンズ２の沈胴を開始するように制御される。
【００４８】
同図において、まず、Ｓ４０１乃至Ｓ４１２の処理では、図２を用いて説明したＳ２０１乃至Ｓ２１２の処理と同様の処理が行われる。
Ｓ４１３では、連写スイッチ２１ＤがＯＮ操作されて撮影モードとして連写モードが設定されているか否かが判定され、この判定結果がＹｅｓの場合にはＳ４１４へ処理が進み、Ｎｏの場合にはＳ４２１へ処理が進む。
【００４９】
Ｓ４１４乃至Ｓ４２７の処理では、図２を用いて説明したＳ２１３乃至Ｓ２２６の処理と同様の処理が行われる。
以上までの処理が、第三の実施の形態に係る撮影処理であり、この処理をシステムコントローラ１００が行うことにより、２ｎｄレリーズスイッチ２１ＢがＯＮ操作された後であってメモリカード１７への画像データの書き込み終了前において電源スイッチ２１ＣがＯＦＦ操作された時に、撮影モードとして連写モードが設定されていた場合に限り、直ちにズームレンズ２の沈胴が開始されてメモリカード１７への書き込みが開始されるようになる。従って、書き込む画像データ数が多いために書き込みに係る時間が長くなる連写モードが設定されていたとしても、沈胴と書き込みが略同時に行われるようになるので、沈胴及び書き込みを終わらせるのに必要な時間を、従来に比べて一段と短縮させることができる。また、連写モードがＯＮ操作されていないとき、すなわち撮影モードとして単写モードが設定されていたときには、通常通り、メモリカード１７への書き込みを終了した後にズームレンズ２の沈胴が行われるようになる。
【００５０】
尚、この撮影処理のＳ４１３の処理では、連写モードが設定されているか否かに応じて処理が分岐されるものであったが、これをメモリカード１７へ書き込む画像データのデータ容量に応じて処理を分岐させるようにしても良い。例えば、書き込む画像データのデータ容量が所定容量以上であるか否かを判定し、この判定結果がＹｅｓの場合にはＳ４１４へ処理が進み、Ｎｏの場合には処理がＳ４２１へ処理が進むようにしても良い。又は、書き込む画像データのデータ容量が所定容量以上であって撮影モードとして単写モードが設定されているか否かを判定し、この判定結果がＹｅｓの場合にはＳ４１４へ処理が進み、Ｎｏの場合には処理がＳ４２１へ処理が進むようにしても良い。これにより、書き込む画像データのデータ容量が大きいために書き込みに係る時間が長くなる場合、例えば、撮影により得られた画像データに対し何れの画像処理も施さずに生データのままの画像データをメモリカード１７へ書き込むモード（ＲＡＷモード等）が設定されて撮影が行われた場合等には、ズームレンズ２の沈胴が開始されて書き込みも開始されるので、沈胴と書き込みが略同時に行われるようになり、沈胴及び書き込みを終わらせるのに必要な時間を、従来に比べて一段と短縮させることができる。
【００５１】
また、上記図２乃至図４に示した撮影処理では、警告用ＬＥＤ２５を点滅点灯させることによって、メモリカード１７へのアクセス中である旨をユーザに通知（警告）していたが、例えば、その旨をＬＣＤモニタ１５に表示する等して、その他の手段を用いてユーザに通知するようにしても良い。
【００５２】
以上、本発明の電子カメラについて詳細に説明したが、本発明は上記実施形態に限定されず、本発明の要旨を逸脱しない範囲において、各種の改良及び変更を行っても良いのはもちろんである。
【００５３】
【発明の効果】
以上、詳細に説明したように、本発明によれば、画像データの記録終了前にレンズの沈胴を開始させることが可能になり、ユーザの使い勝手を向上させることができる。
【図面の簡単な説明】
【図１】本発明の一実施の形態に係る電子カメラの構成例を示すブロック図である。
【図２】第一の実施の形態に係る撮影処理の処理内容の一例を示すフローチャートである。
【図３】第二の実施の形態に係る撮影処理の処理内容の一例を示すフローチャートである。
【図４】第三の実施の形態に係る撮影処理の処理内容の一例を示すフローチャートである。
【符号の説明】
１      撮影レンズ系
２      ズームレンズ
３      フォーカスレンズ
４      ズームカム
５      ズームモータ
６      ズームモータ制御回路
７      フォーカスモータ
８      フォーカスモータ制御回路
９      イメージャ
１０    撮像回路
１１    Ａ／Ｄ変換回路
１２    メモリ
１３    Ｄ／Ａ変換回路
１４    ＬＣＤ駆動回路
１５    ＬＣＤモニタ
１６    圧縮伸長回路
１７    メモリカード
１８    ＡＥ回路
１９    合焦回路
２０    ストロボ発光部
２１    操作スイッチ群
２１Ａ  １ｓｔレリーズスイッチ
２１Ｂ  ２ｎｄレリーズスイッチ
２１Ｃ  電源スイッチ
２１Ｄ  連写スイッチ
２２    電源
２３    ＤＣ／ＤＣコンバータ
２４    電源電圧検出回路
２５    警告用ＬＥＤ
１００  システムコントローラ
【図１】
0003901488.tif 000002
【図２】
0003901488.tif 000003
【図３】
0003901488.tif 000004
【図４】
0003901488.tif 000005